(57)【要約】  以下の化学式、ＲＦ（ＲＴ）ｎＱ、あるいは、式（I）、式（II）、ＲＣｌ（ＲＴ）ｎＨ  を有する組成物が示される。ＲＦ基は４以上のフッ素原子を有し、ＲＴ基はペンダント−ＣＦ３基を有する１以上のＣ-２基を含み、ｎは１以上、Ｒ１基は炭素原子を含み、ＲＣｌ基は−ＣＣｌ３を含み、Ｑ基は元素周期表の原子を１以上含む。また、テロマー化の方法も開示される。2007522287.tif 000021【選択図】図１
2007522287.tif 000002
【特許請求の範囲】
【請求項１】
ＲＦ（ＲＴ）ｎＱを含む組成物であって、
ＲＦ基は４以上のフッ素原子を含み、
ＲＴ基は、１以上のペンダント−ＣＦ３基を有する１以上のＣ-２基を含み、
ｎは１以上であり、
Ｑ基は元素周期表の原子を１以上有していることを特徴とする組成物。
【請求項２】
ＲＦ基が１以上の−ＣＦ３基を含んでいることを特徴とする請求項１記載の組成物。
【請求項３】
ＲＦ基が２以上の−ＣＦ３基を含んでいることを特徴とする請求項１記載の組成物。
【請求項４】
ＲＦ基が−ＣＦ（ＣＦ３）２を含んでいることを特徴とする請求項３記載の組成物。
【請求項５】
ＲＦ基が−Ｃ６Ｆ１３を含んでいることを特徴とする請求項１記載の組成物。
【請求項６】
ＲＴ基が下式で表される基を含んでいることを特徴とする請求項１記載の組成物。
【化１】
2007522287.tif 000013
【請求項７】
ｎが２以上であり、下式で表される組成物を含む請求項１記載の組成物。
【化２】
2007522287.tif 000014
【請求項８】
ｎが２以上であり、下式で表される組成物を含む請求項１記載の組成物。
【化３】
2007522287.tif 000015
【請求項９】
Ｑ基がハロゲンを含んでいることを特徴とする請求項１記載の組成物。
【請求項１０】
下式で表される少なくとも１方を含む組成物であって、
ＲＦ基は４以上のフッ素原子を含み、
Ｒ１基は１以上の炭素原子を含み、
ｎは１以上であり、
Ｑ基は元素周期表の原子を１以上有していることを特徴とする組成物。
【化４】
2007522287.tif 000016
【請求項１１】
ＲＦ基が２以上の−ＣＦ３基を含んでいることを特徴とする請求項１０記載の組成物。
【請求項１２】
Ｒ１基が−ＣＨ２−から成ることを特徴とする請求項１０記載の組成物。
【請求項１３】
ｎが１であり下式で表される組成物を含む請求項１０記載の組成物。
【化５】
2007522287.tif 000017
【請求項１４】
Ｑ基が１以上のハロゲンを含んでいることを特徴とする請求項１０記載の組成物。
【請求項１５】
ＲＣｌ（ＲＴ）ｎＨを含む組成物であって、
ＲＣｌ基は１以上の−ＣＣｌ３を含み、
ＲＴ基は、１以上のペンダント−ＣＦ３基を有する１以上のＣ-２基を含み、
ｎは１以上であることを特徴とする組成物。
【請求項１６】
ｎが２以上であり、下式で表される組成物を含む請求項１５記載の組成物。
【化６】
2007522287.tif 000018
【請求項１７】
ｎが２以上であり、下式で表される組成物を含む請求項１５記載の組成物。
【化７】
2007522287.tif 000019
【請求項１８】
テロマー化の方法が、１以上のＣＦ３含有タキソゲンをフッ素含有テロゲンに曝露させて、テロマーを生成する工程を含み、フッ素含有テロゲンが４以上のフッ素原子を含んでいることを特徴とする方法。
【請求項１９】
ＣＦ３含有タキソゲンがトリフルオロプロペンであることを特徴とする請求項１８記載の方法。
【請求項２０】
フッ素含有テロゲンが（ＣＦ３）２ＣＦＩであることを特徴とする請求項１８記載の方法。
【請求項２１】
開始剤の存在下で、ＣＦ３含有タキソゲンをフッ素含有テロゲンに曝露させることを特徴とする請求項１８記載の方法。
【請求項２２】
開始剤が過酸化物を含むことを特徴とする請求項２１記載の方法。
【請求項２３】
過酸化物が、ジ−ｔ−ブチルパーオキシドを含むことを特徴とする請求項２２記載の方法。
【請求項２４】
曝露反応が反応容器内で行われ、開始剤とテロゲンを反応容器に供給する際の、テロゲンに対する開始剤のモル比が約０．００１〜０．０５であることを特徴とする請求項２２記載の方法。
【請求項２５】
テロゲンに対する開始剤のモル比が約０．０１〜０．０３であることを特徴とする請求項２４記載の方法。
【請求項２６】
曝露反応が反応容器内で行われ、反応中の反応容器内の温度が約１３０〜１５０℃であることを特徴とする請求項１９記載の方法。
【請求項２７】
ＣＦ３含有タキソゲンがトリフルオロプロペンであり、
テロマーが下式で表され、
【化８】
2007522287.tif 000020
ＲＦ基は４以上のフッ素原子を含み、
ｎは１以上であり、
Ｑ基は元素周期表の原子を１以上有していることを特徴とする請求項１８記載の方法。
【請求項２８】
ＣＦ３含有タキソゲンがトリフルオロプロペンであり、
フッ素含有テロゲンが（ＣＦ３）２ＣＦＩであり、
タキソゲン：テロゲンが２：１〜４：１のモル比であることを特徴とする請求項１８記載の方法。
【発明の詳細な説明】
【技術分野】
【０００１】
（優先権の主張）  本出願は、２００４年１月３０日出願の米国仮出願番号６０／５４０，６１２「フッ素官能基、フッ素組成物、フッ素添組成物の製造方法および物質の処理」に基づき優先権を主張するものであり、その全開示内容を参考として含む。
本発明は、組成物、ハロゲン化組成物、化学生成物およびテロマー化方法に関する。
【背景技術】
【０００２】
界面活性剤、ポリマー、及びウレタン等の組成物はハロゲン化官能基を有している。これらの官能基は、物質の処理や物質の性能を高めるために使用される場合に前記組成物の性能に影響を与えるために組み込まれているものである。例えば、ハロゲン化官能基を含む界面活性剤は、単独あるいは水溶性フィルムフォーム（ＡＦＦＦ）などの形態で消火剤として使用できる。ハロゲン化官能基を有するポリマーおよび／またはウレタンも物質の処理に使用されている。これらの組成物の調製のために、ハロゲン化中間組成物を合成することができる。
【発明の開示】
【０００３】
本発明は、ＲＦ（ＲＴ）ｎＱおよび／または下記式で表される１種以上を含む組成物を提供する。
【化９】
2007522287.tif 000003
【０００４】
これらの組成物において、ＲＦ基は４以上のフッ素原子を含み、ＲＴ基は１以上のペンダント−ＣＦ３基を有するＣ-２基を１以上含み、ｎは１以上であり、Ｒ１基は１以上の炭素原子を含み、Ｑ基は元素周期表の原子を１以上有している。またＲＣｌ（ＲＴ）ｎＨを含む組成物も提供され、ＲＣｌ基は１以上の−ＣＣｌ３基を含んでいる。
【０００５】
テロマー化の方法は、１以上のＣＦ３を含有するタキソゲン（taxogen）をフッ素含有テロゲン（telogen）に曝露させてテロマーを生成し、該フッ素含有テロゲンは４以上のフッ素原子を含んでいる。
【発明を実施するための最良の形態】
【０００６】
本発明の開示は、米国特許法「科学および有用技術の発展の促進」（第１条第８項）に基づいて示されている。以下に組成物ならびに組成物の製造方法について図面を参照しつつ説明する。
【０００７】
図は、システム１０のハロゲン化組成物の製法について示したもので、タキソゲン２、テロゲン４、開始剤６を反応容器（reactor）８に供給し、テロマー９を生成する。模範的具体例では、システム１０はテロマー化の方法を実行する。ある具体例によれば、タキソゲン２はテロゲン４に曝露されてテロマー９を形成する。また別の具体例ではタキソゲン２は開始剤６の存在下でテロゲン４に曝露させることもできる。反応容器８は曝露中の試薬を加熱するように構成することもできる。
【０００８】
タキソゲン２は１以上のＣＦ３含有化合物を含むことができる。ＣＦ３含有化合物は１以上のペンダント−ＣＦ３基を有するＣ-２基を含む。具体的には、タキソゲン２は３，３，３−トリフルオロプロペン（ＴＦＰ、トリフルオロプロペン）等のオレフィン類を含む。
【０００９】
テロゲン４は、フッ素および／または塩素などのハロゲンを含むことができる。テロゲン４は４以上のフッ素原子を含むことができ、ＲＦＱおよび／またはＲＣｌＱで表すことができる。ＲＦ基は４以上のフッ素原子を含み、Ｑ基は元素周期表の１以上の原子を含む。該Ｑ基は、例えばＲＦ基が（ＣＦ３）２ＣＦ−および／または−Ｃ６Ｆ１３であるとき、ＨまたはＩであることができる。該ＲＣｌ基は１以上の−ＣＣｌ３基を含むことができる。テロゲンとしては具体的に、（ＣＦ３）２ＣＦＩ、Ｃ６Ｆ１３I、トリクロロメタン、ＨＰ（Ｏ）（ＯＥｔ）２、ＢｒＣＦＣｌＣＦ２Ｂｒ、Ｒ−ＳＨ（Ｒは炭素含有する基）、および／またはＭｅＯＨを例示できる。タキソゲン２としてはトリフルオロプロペンを、テロゲン４としては（ＣＦ３）２ＣＦＩを例示でき、タキソゲン２対テロゲン４のモル比は約１：１から約１：１０、１：４から約４：１、そして／または約２：１から約４：１である。
【００１０】
反応容器８は実験的、産業的スケールであって、具体例として、試薬を内包して温度制御するように構成してもよい。より具体的には、反応容器８は、試薬を反応させている間に約１３０℃から約１５０℃の加熱ができるものである。
【００１１】
タキソゲン２にテロゲン４を曝露して生成するテロマー９は、ＲＦ（ＲＴ）ｎＱおよび／またはＲＣｌ（ＲＴ）ｎＨを含むことができる。ＲＴ基は、例えば下式で表されるような基で、ペンダント−ＣＦ３基を有する１以上のＣ-２基を含むことができる。
【化１０】
2007522287.tif 000004
【００１２】
生成物は具体的には、下式で表される化合物、
【化１１】
2007522287.tif 000005
および／または、下式で表される一方もしくは双方を含み
【化１２】
2007522287.tif 000006
（ただし、Ｒ１は例えば、−ＣＨ２−のような炭素原子を１以上含む。）
【００１３】
より具体的には、ｎは１以上、或いは２以上で、下記の生成物を１以上含む。
【化１３】
2007522287.tif 000007
【００１４】
さらに具体例として、タキソゲンとしてトリフルオロプロペンを、テロゲンとしての（ＣＦ３）２ＣＦＩに曝露すると、下式のテロマーを形成できる。
【化１４】
2007522287.tif 000008
【００１５】
別の具体例として、トリフルオロプロペンを、テロゲンとしてのＣ６Ｆ１３Ｉに曝露すると、下式のテロマーを形成できる。
【化１５】
2007522287.tif 000009
【００１６】
また別の具体例として、トリフルオロプロペンを、テロゲンとしてのＣＣｌ３Ｚ（Ｚ＝Ｈ，Ｂｒ，Ｃｌなど）に曝露すると、下式のテロマーを形成できる。
【化１６】
2007522287.tif 000010
【００１７】
ｎが２以上である生成物はテロゲンに対して過剰のタキソゲンを反応させたときに形成される。例えば、タキソゲン：テロゲンのモル比が２：１以上であるときは、ｎが２以上の生成物を得ることができる。具体的例としては、タキソゲンとして２モル以上のトリフルオロプロペンに、テロゲンとして１モル以上の（ＣＦ３）２ＣＦＩを曝露させると、下式のテロマーの一方または双方が形成されるのである。
【化１７】
2007522287.tif 000011
【００１８】
さらに具体例としてあげると、開始剤６を試薬を反応させている反応容器８内に供給することもできる。開始剤６としては、熱、光化学（ＵＶ）、ラジカル、または金属錯体などで、ジ−ｔ−ブチルパーオキシドなどの過酸化物をも含む。開始剤６はＣｕなどの触媒も含み得る。開始剤６とテロゲン４はともに反応容器８に供給され、タキソゲン２に対して開始剤６のモル比は、約０．００１〜０．０５であり、好ましくは約０．０１〜０．０３である。
【実施例】
【００１９】
種々の開始剤６、テロゲン４を用いてタキソゲン２をテロマー化した結果を表１に示した。テロマー化は、光化学および／または金属錯体開始剤６を用いて、カリウス（Carius）の反応管８を用いてバッチ条件で反応させた。また熱および／または過酸化物開始剤６を用いたテロマー化は、１６０および／または５００ｃｍ３のハステロイ（Hastelloy）の反応容器８を用いた。テロゲン４（そのまま或いは過酸化物溶液として）は約６０℃〜１８０℃の温度でガス状態で供給し、表１に示すように、テロゲン４［Ｔ］０／タキソゲン２［Ｔｘ］０の開始時のモル比Ｒ０は０．２５〜１．５の範囲で種々変動させ、反応時間は４〜２４時間である。生成混合物はガスクロマトグラフィーで分析し、或いはまた生成物を蒸留分画して１Ｈ−ＮＭＲ、１９Ｆ-ＮＭＲ、１３Ｃ−ＮＭＲによって分析できる。モノアダクト（ｎ＝１）およびジアダクト（ｎ＝２）は表１に示すように生成した。
【００２０】
【表１】
2007522287.tif 000012
【図面の簡単な説明】
【００２１】
【図１】図は本発明の模範的な１具体例のシステムを示す概略図である。
【図１】
2007522287.tif 000022
【手続補正書】
【提出日】平成18年9月15日(2006.9.15)
【手続補正１】
【補正対象書類名】特許請求の範囲
【補正対象項目名】請求項１
【補正方法】変更
【補正の内容】
【請求項１】
ＲＦ（ＲＴ）ｎＱを含む組成物であって、
ＲＦ基は４以上のフッ素原子を含み、
ＲＴ基は、１以上のペンダント−ＣＦ３基を有する１以上のＣ-２基を含み、
ｎは１以上であり、
Ｑ基はハロゲンを含むことを特徴とする組成物。
【手続補正２】
【補正対象書類名】特許請求の範囲
【補正対象項目名】請求項９
【補正方法】変更
【補正の内容】
【請求項９】
Ｑ基がＦ，Ｃｌ，Ｂｒ，Ｉの少なくとも１つを含んでいることを特徴とする請求項１記載の組成物。
【国際調査報告】
2007522287.tif 000023